(57)【要約】  体幹の回旋や腕の動作を伴う各種の運動における運動パフォーマンスを十分に向上させることが可能な運動用衣類を提供する。  運動用衣類１では、着用状態において、第１緊締部２１による緊締力が肩甲骨及び肩甲骨回りの筋肉群に作用し、着用者が体幹の回旋や腕の動作を行う際に、肩甲骨の可動領域が広がるようにサポートされる。また、一方の第１緊締部２１による緊締力は、第２緊締部２２を介して他方の第１緊締部２１に伝達される。このため、一方の肩甲骨の動きに連動して他方の肩甲骨の動きが更に助長され、肩甲骨の可動領域が一層広げられることとなる。したがって、運動用衣類１では、左右の肩が連動して運動する際の肩周辺の柔軟性が効果的に高められ、体幹の回旋や腕の動作を伴う各種の運動パフォーマンスの向上を実現する。
2008078392.tif 000002
【特許請求の範囲】
【請求項１】
着用者の体にフィットするように構成された上半身部を有する運動用衣類であって、
前記上半身部は、伸縮性を有する素材によって形成された前身頃及び後身頃からなる本体部と、当該本体部よりも高い緊締力を有する帯状の緊締部とを備え、
前記緊締部は、前記後身頃において、
前記着用者の肩甲骨を囲むように環状に形成された左右一対の第１緊締部と、
前記着用者の胸椎に対応する位置で前記第１の緊締部同士を連結する第２緊締部とを備えたことを特徴とする運動用衣類。
【請求項２】
前記第２緊締部は、前記第１緊締部の上部同士及び前記第１緊締部の下部同士を連結していることを特徴とする請求項１記載の運動用衣類。
【請求項３】
前記緊締部は、
前記後身頃において、前記第１緊締部における前記着用者の肩甲骨の外側に対応する部分に連結され、前記着用者の広背筋に沿って腰部まで延在する左右一対の第３緊締部と、
前記前身頃において、前記着用者の僧帽筋の上部から、大胸筋の外側及び外腹斜筋に沿って腹部まで延在する左右一対の第４緊締部とを更に備えたことを特徴とする請求項１又は２記載の運動用衣類。
【請求項４】
前記第１緊締部〜前記第４の緊締部の幅寸法は、２ｃｍ〜４ｃｍであることを特徴とする請求項１〜３のいずれか一項記載の運動用衣類。
【発明の詳細な説明】
【技術分野】
【０００１】
本発明は、着用者の上半身の運動をサポートする運動用衣類に関する。
【背景技術】
【０００２】
近年、スポーツ等を行う際の運動パフォーマンスを向上させるための運動用衣類が知られている。運動用衣類に対するニーズは非常に根強いものがある。ゴルフを例に挙げれば、日々の筋力トレーニングやストレッチなどをせずとも、ヘッドスピードを上げて飛距離を伸ばしたいと考えているユーザは、顕在的に数多く存在している。【０００３】
このような運動用衣類には、伸縮性を有する本体部に対し、本体部よりも高い緊締力を有する緊締部が所定の形状で形成されている。そして、緊締部に沿って骨格・筋肉に緊締力が作用することにより、運動のサポート機能やテーピング機能などが発揮されるようになっている（例えば特許文献１〜３参照）。
【特許文献１】特開２００５−２４８３９１号公報
【特許文献２】特開２００４−２６３３６２号公報
【特許文献３】特開２００４−４４０７０号公報
【発明の開示】
【発明が解決しようとする課題】
【０００４】
ところで、上述したゴルフの他、テニス、野球、水泳、及びヨガといった各種のスポーツ・エクササイズでは、体幹の回旋や腕の動作に伴う肩甲骨の運動が頻繁になされる。例えばゴルフやテニスでは、クラブやラケットのスイングをする際に、体幹を回旋することによって左右非対称の肩甲骨の運動がなされるし、ヨガのポーズなどでは、両腕を左右対称に動かすことによって左右対称の肩甲骨の運動がなされる。【０００５】
このような肩甲骨の運動は、左右いずれかの肩甲骨が独自に運動するのではなく、左右の肩甲骨が連動して運動する場合が殆どである。しかしながら、上述した特許文献１〜３に記載の運動用衣類は、いずれも緊締部によって着用者の上半身の姿勢を矯正するに過ぎないものであり、左右の肩甲骨の連動運動については十分な考慮がなされていない。したがって、これらの従来の運動用衣類では、体幹の回旋や腕の動作を伴う各種の運動における運動パフォーマンスを十分に向上させることは困難であった。【０００６】
本発明は、上記課題の解決のためになされたものであり、体幹の回旋や腕の動作を伴う各種の運動における運動パフォーマンスを十分に向上させることが可能な運動用衣類を提供することを目的とする。
【課題を解決するための手段】
【０００７】
上記課題の解決のため、本発明に係る運動用衣類は、着用者の体にフィットするように構成された上半身部を有する運動用衣類であって、上半身部は、伸縮性を有する素材によって形成された前身頃及び後身頃からなる本体部と、当該本体部よりも高い緊締力を有する帯状の緊締部とを備え、緊締部は、後身頃において、着用者の肩甲骨を囲むように環状に形成された左右一対の第１緊締部と、着用者の胸椎に対応する位置で第１の緊締部同士を連結する第２緊締部とを備えたことを特徴としている。【０００８】
この運動用衣類では、左右一対の第１緊締部が着用者の肩甲骨を囲むように環状に形成されている。この第１緊締部は、肩甲骨の周囲の各筋肉の動きを助長し、肩甲骨の可動領域が広くなるように作用する。また、第１緊締部同士は、第２緊締部によって着用者の胸椎に対応する位置で連結されている。そのため、一方の第１緊締部の作用が他方の第１緊締部にも及び、一方の第１緊締部によって可動領域の広がった一方の肩甲骨の動きに連動して、他方の肩甲骨の動きが更に助長されることとなる。したがって、この運動用衣類では、左右の肩甲骨が連動して運動する際の肩周辺の柔軟性が高められ、体幹の回旋や腕の動作を伴う各種の運動における運動パフォーマンスを十分に向上させることができる。【０００９】
第２緊締部は、第１緊締部の上部同士及び第１緊締部の下部同士を連結していることが好ましい。第２緊締部による緊締力が第１緊締部に過剰に付与されると、肩甲骨の動きが阻害される場合がある。そこで、第１緊締部の上部同士及び第１緊締部の下部同士を連結することで、第２緊締部による緊締力が過剰となることを防止でき、左右の肩が連動して運動する際の肩周辺の柔軟性が担保される。【００１０】
また、緊締部は、後身頃において、第１緊締部における着用者の肩甲骨の外側に対応する部分に連結され、着用者の広背筋に沿って腰部まで延在する左右一対の第３緊締部と、前身頃において、着用者の僧帽筋の上部から、大胸筋の外側及び外腹斜筋に沿って腹部まで延在する左右一対の第４緊締部とを更に備えたことが好ましい。こうすると、第３緊締部及び第４の緊締部によって肩甲骨と体幹下部との連動性が高められる。この結果、肩甲骨の可動領域が更に広がり、左右の肩甲骨が連動して運動する際の肩周辺の柔軟性を高める機能が更に強化される。【００１１】
また、第１緊締部〜第４の緊締部の幅寸法は、２ｃｍ〜４ｃｍであることが好ましい。この場合、各緊締部によって着用者の肩甲骨をしっかりと支えることができるので、肩甲骨の周囲の各筋肉に対して好適に負荷を伝達させることができる。また、各緊締部が肩甲骨や体に食い込んでしまうこともなく、良好な着用感が保たれる。
【発明の効果】
【００１２】
本発明に係る運動用衣類によれば、体幹の回旋や腕の動作を伴う各種の運動における運動パフォーマンスを十分に向上させることが可能となる。
【図面の簡単な説明】
【００１３】
【図１】本発明の一実施形態に係る運動用衣類を正面から見た図である。
【図２】図１に示した運動用衣類を背面から見た図である。
【図３】図１に示した運動用衣類を側面から見た図である。
【図４】前側から見た人体の筋群を示す図である。
【図５】後側から見た人体の筋群を示す図である。
【図６】本発明の変形例に係る運動用衣類を背面から見た図である。
【図７】内転角度の測定状態を示す図である。
【図８】内転角度の測定結果を示す図である。
【図９】クラブをテイクバックする際のモニターの姿勢を示した図である。
【図１０】スイング時のヘッドスピードの測定結果を示した図である。
【図１１】運動用衣類の着用感に関するモニターの回答結果を示した図である。
【符号の説明】
【００１４】
１，４０…運動用衣類、１０…本体部、１１…前身頃、１２…後身頃、２０…緊締部、２１…第１緊締部、２２…第２緊締部、２３…第３緊締部、２４…第４緊締部。
【発明を実施するための最良の形態】
【００１５】
以下、図面を参照しながら、本発明に係る運動用衣類の好適な実施形態について詳細に説明する。【００１６】
図１は、本発明の一実施形態に係る運動用衣類を正面から見た図である。また、図２は、図１に示した運動用衣類を背面から見た図であり、図３は、その側面から見た図である。同図に示す運動用衣類１は、例えばゴルファーが練習を行う際或いはコースでプレーを行う際に、ボールの飛距離を伸ばす目的で、ゴルフウェアとして着用される半袖タイプのシャツである。【００１７】
この運動用衣類１は、着用者の上半身に密着する本体部１０と、本体部１０の表面側に縫合された帯状の緊締部２０とを備えている。本体部１０は、前身頃１１と、後身頃１２と、襟部１３と、袖部１４とによって構成され、着用者の体にフィットする上半身部をなしている。前身頃１１と後身頃１２とは、本体部１０の脇部の縫合ラインＬ１によって互いに縫合されている。襟部１３は、首回りの縫合ラインＬ２によって前身頃１１及び後身頃１２に縫合されている。また、袖部１４は、腕回りの縫合ラインＬ３によって前身頃１１及び後身頃１２に縫合されている。【００１８】
本体部１０を構成する素材には、伸縮性を有する素材が用いられる。このような素材としては、例えばナイロン混糸率９５％、ポリウレタン混糸率５％のベア天竺編地を用いることができる。この場合、着用者に対する運動用衣類１の密着性が良好なものとなる。また、ベア天竺編地は、通常の天竺編地に比べてストレッチ機能が高いので、着用者への密着性が高くても、動きの妨げになることは殆どない。【００１９】
一方、緊締部２０は、後身頃１２に形成された第１緊締部２１、第２緊締部２２、第３緊締部２３と、前身頃１１に形成された第４緊締部２４とによって構成されている。第１緊締部２１〜第４緊締部２４は、その緊締力を作用させることにより、第１緊締部２１〜第４緊締部２４があてがわれた部分の着用者の筋肉・骨格をサポートする機能を有している。緊締部２０は、例えばナイロンの混糸率６６％、ポリウレタンの混糸率１０％、綿の混糸率２４％のサテンパワーネットを本体部１０に縫着することによって形成されている。【００２０】
なお、緊締部２０は、本体部１０への縫着のほか、本体部１０への貼り付けによって形成してもよく、本体部１０に接ぎ合わせて形成してもよい。また、本体部１０の編み方を変更したり、ウレタンなどの樹脂を塗布したりすることによって本体部１０と一体的に形成してもよい。【００２１】
ここで、第１緊締部２１〜第４緊締部２４の説明に先立って、その緊締力が作用する主な骨格・筋肉について説明する。図４は、前側から見た人体の筋群を示す図であり、図５は、後側から見た人体の筋群を示す図である。【００２２】
図４及び図５に示すように、人体の肩部の背面側には、肩関節を構成する左右一対の肩甲骨が位置している。肩甲骨は、肋骨の外側において、肋骨には固定されない状態で位置しているため、肋骨の形状に沿って上下左右に可動する。肩甲骨の可動には、主として、三角筋、肩甲挙筋、棘上筋、棘下筋、小円筋、大円筋、肩甲下筋、前鋸筋、菱形筋、僧帽筋の計１０種類の筋肉（以下、これらの筋肉を総括して「肩甲骨回りの筋肉群」と称す）が関連している。また、肩甲骨回りの筋肉群のほか、体幹背面側の広背筋や、体幹正面側の大胸筋及び外腹斜筋も補助的に関連している。【００２３】
第１緊締部２１は、着用者の肩甲骨及び肩甲骨回りの筋肉群をサポートする部分であり、図２に示すように、左右一対に形成されている。第１緊締部２１は、肩甲骨よりも上側及び外側に延在する第１の部分２５と、肩甲骨よりも内側及び下側に延在する第２の部分２６とによって構成され、全体として肩甲骨の形状に沿った環状をなしている。より具体的には、第１の部分２５は、着用状態において、着用者の頸部付近から肩甲骨よりも上側に延在すると共に、肩甲骨の角部分の形状に沿って下方にカーブし、肩甲骨よりも外側に延在している。第１の部分２５の幅寸法は、その全体にわたって約２．５ｃｍとなっている。【００２４】
一方、第２の部分２６は、着用状態において、着用者の頸部付近から肩甲骨よりも内側に延在すると共に、肩甲骨の内側縁の形状に沿ってカーブし、肩甲骨よりも下側に延在している。第２の部分２６の上端部２６ａは、着用者の頸部付近で第１の部分２５の上端部２５ａと連結されており、第２の部分２６の下端部２６ｂは、肩甲骨の外側縁の下端よりも外側の位置で第１の部分２５の下端部２５ｂと連結されている。第２の部分２６の幅寸法は、肩甲骨よりも内側の部分では約２．５ｃｍ、肩甲骨よりも下側の部分では約３．５ｃｍとなっている。【００２５】
また、環状の第１緊締部２１の内側の領域には、本体部１０が露出する部分（以下、この部分を「サイドホール３１」と称す）がそれぞれ設けられている。これらのサイドホール３１は、肩甲骨及び肩甲骨回りの筋肉群に作用する緊締力を調整する部分として機能する。なお、サイドホール３１に該当する部分の本体部１０を構成する素材は、本体部１０の他の部分よりも低い緊締力を有する素材を用いてもよい。【００２６】
第２緊締部２２は、左右一対の第１緊締部２１を互いに連結する部分であり、着用者の胸椎に対応する位置に形成されている。第２緊締部２２は、第１緊締部２１の上部同士を連結する第１の部分２７と、第１緊締部２１の下部同士を連結する第２の部分２８とによって構成され、第１緊締部２１の第２の部分２６と一体に形成されている。【００２７】
より具体的には、第１の部分２７は、襟部１３の形状に合わせて下向きの緩やかなカーブを描き、第１緊締部２１の第２の部分２６のうち、肩甲骨よりも内側の部分の略上半分同士を連結している。また、第２の部分２８は、第１の部分２７よりも大きな曲率で上向きのカーブを描き、第１緊締部２１の第２の部分２６のうち、肩甲骨よりも内側の部分の略下半分同士を連結している。【００２８】
また、第２緊締部２２の中央部分においても、本体部１０が露出する部分（以下、この部分を「センターホール３２」と称す）が設けられている。センターホール３２は、例えば着用者の第３胸椎、第４胸椎、及び第５胸椎に対応する位置に設けられ、上下に延びる楕円状をなしている。このセンターホール３２は、第２緊締部２２の緊締力を調整する部分として機能する。なお、サイドホール３１の場合と同様に、センターホール３２に該当する部分の本体部１０を構成する素材についても、本体部１０の他の部分よりも低い緊締力を有する素材を用いてもよい。【００２９】
第３緊締部２３は、着用者の背面側の体幹下部をサポートする部分であり、第１緊締部２１における第１の部分２５と一体に左右一対に形成されている。第３緊締部２３は、第１緊締部２１における第１の部分２５の下端部２５ｂから下方に延び、着用者の広背筋に沿って腰部まで延在している。第３緊締部２３の幅寸法は、全体にわたって約２．５ｃｍとなっている。【００３０】
第４緊締部２４は、着用者の正面側の体幹をサポートする部分であり、図１に示すように、前身頃１１において左右一対に形成されている。この第４緊締部２４は、第１緊締部２１の第１の部分２５及び第３緊締部２３に対して本体部１０の前後でほぼ同じ位置に形成されている。第４緊締部２４は、着用者の僧帽筋の上部に沿って延在すると共に、肩関節付近でカーブし、大胸筋の外側及び外腹斜筋に沿って腹部まで延在している。第４緊締部２４の幅寸法は、全体にわたって約２．５ｃｍとなっている。【００３１】
このような運動用衣類１では、着用状態において、第１緊締部２１による緊締力が肩甲骨及び肩甲骨回りの筋肉群に作用し、着用者が体幹の回旋や腕の動作を行おうとする際に、肩甲骨の可動領域が広がるようにサポートされる。このとき、第１緊締部２１は、肩甲骨を囲むように環状に形成されているため、体幹の回旋や腕の動作に伴う肩甲骨のあらゆる方向の動きをサポート可能となっている。【００３２】
また、一方の第１緊締部２１による緊締力は、第２緊締部２２を介して他方の第１緊締部２１に伝達される。このため、一方の第１緊締部２１によって可動領域の広がった一方の肩甲骨の動きに連動して他方の肩甲骨の動きが更に助長され、肩甲骨の可動領域が一層広げられることとなる。したがって、この運動用衣類１では、体幹を回旋することによって生じる左右非対称の肩甲骨の運動や、両腕を対称に動かすこと等によって生じる左右対称の肩甲骨の運動など、左右の肩甲骨が連動して運動する際の肩周辺の柔軟性を効果的に高めることが可能となる。このことは、クラブやラケットのスイング速度や、水泳における推進力といった各種の運動パフォーマンスの向上を実現する。【００３３】
また、運動用衣類１では、第３緊締部２３によって体幹の背面側下部に位置する広背筋のサポートがなされている。ここで、第３緊締部２３は、第１緊締部２１における第１の部分２５の下端部２５ｂと連結されているので、第１緊締部２１と第３緊締部２３との協働によって、肩甲骨回りの筋肉群と広背筋との連動性を高めることができる。さらに、運動用衣類１では、第４緊締部２４によって体幹の正面側に位置する大胸筋及び外腹斜筋のサポートもなされている。このため、第１緊締部２１と第４緊締部２４との協働によって、肩甲骨回りの筋肉群と大胸筋及び外腹斜筋との連動性も高められる。【００３４】
このように、肩甲骨回りの筋肉群と体幹の各筋肉との連動性を高めるのは、以下の知見に基づくものである。すなわち、肩甲骨には、主として、体のバランスを整えるバランスセンサとしての機能、体を支える支持機能、歩行時などの推進力を発生させる機能、及び手・腕の土台としての機能を有している。これらの機能は、いずれも体幹の動きと密接している。そこで、第３緊締部２３及び第４緊締部２４により、肩甲骨回りの筋肉群と体幹の各筋肉との連動性を高めることで、肩甲骨の可動領域をより一層広げることが可能となる。したがって、体幹の回旋や腕の動作を伴う各種の運動における運動パフォーマンスの向上効果が強化される。なお、上述したように、運動用衣類１では、肩甲骨回りの筋肉群に緊締力を作用してその動きを助長するので、着用者の肩こりの予防及び解消といった効果も期待できる。【００３５】
ところで、第１緊締部２１による緊締力が肩甲骨回りの筋肉群に過剰に作用すると、肩甲骨の動きがかえって阻害されてしまう場合が考えられる。また、第２緊締部２２においても、その緊締力が過剰に作用すると、左右の肩甲骨が同時に内転又は外転するような場合の左右対称の肩甲骨の動きがかえって阻害されてしまう場合が考えられる。【００３６】
これに対し、運動用衣類１は、第１緊締部２１の内側に設けられた２箇所のサイドホール３１と、第２緊締部２２の中央部分に設けられたセンターホール３２とを有する、いわゆるスリーホール型の運動用衣類となっている。このようなサイドホール３１を設けることで、第１緊締部２１による緊締力が肩甲骨に過剰に作用することが防止され、スムーズな肩甲骨の動きが担保される。また、センターホール３２を設けることで、第２緊締部２２の緊締力が緩和され、左右対称の肩甲骨の可動についても、スムーズな肩甲骨の動きが担保される。【００３７】
また、運動用衣類１では、緊締部２０の幅寸法が全体にわたって２ｃｍ〜４ｃｍの範囲となっている。この場合、緊締部２０によって着用者の肩甲骨をしっかりと支えることができるので、肩甲骨回りの筋肉群に対して好適に緊締力を伝達させることができる。また、緊締部２０が肩甲骨や体に食い込んでしまうこともなく、良好な着用感が保たれる。【００３８】
次に、本発明の変形例に係る運動用衣類について説明する。図６は、変形例に係る運動用衣類４０を背面から見た図である。【００３９】
図６に示すように、運動用衣類４０は、第２緊締部２２の中央部分にセンターホール３２を設けていない、いわゆるツーホール型の運動用衣類となっている点で、第２緊締部２２の中央部分にセンターホール３２を設けたスリーホール型の運動用衣類である上記実施形態と異なっている。その他の構成については、上記実施形態と同様である。【００４０】
この運動用衣類４０では、第２緊締部２２における緊締力が運動用衣類１と比べて高くなっているが、運動用衣類１と同様に、第１緊締部２１によって体幹の回旋や腕の動作に伴う肩甲骨のあらゆる方向の可動をサポートでき、また、一方の第１緊締部２１による緊締力は、第２緊締部２２を介して他方の第１緊締部２１に伝達される。したがって、運動用衣類４０においても、着用者の肩甲骨の可動領域を十分に広げることができ、左右の肩甲骨が連動して運動する際の肩周辺の柔軟性が高められるため、体幹の回旋や腕の動作を伴う各種の運動パフォーマンスの向上が図られる。【００４１】
続いて、上述した運動用衣類１，４０の機能試験結果について説明する。【００４２】
この機能試験では、まず、図７に示すように、台上で仰向けとなった姿勢で４人のモニターに肩甲骨の内転運動を行わせ、両腕の角度が水平に対してどのくらいの角度まで背面側に曲がったか（内転角度）を測定した。各モニターには、実施例として、運動用衣類１と同様のツーホール型の運動用衣類を着用させ、比較例として、緊締部の無い通常の運動用衣類を着用させた。【００４３】
図８は、その試験結果を示す図である。図８に示すように、４人のモニター全員について、実施例に係る運動用衣類を着用した場合の方が、比較例に係る運動用衣類を着用した場合よりも内転角度が大きくなっている。内転角度は、４人の平均で約１．８度向上している。このことは、例えばモニターの腕の長さを６５ｃｍとすれば、各モニターが手の先端を背面側に２ｃｍ程度大きく振ることができたことを意味している。【００４４】
次に、運動パフォーマンスの向上効果を確認するため、１０人のモニターにゴルフのスイングを行わせ、クラブをテイクバックする際の姿勢及びスイング時のヘッドスピードの測定を行った。各モニターには、実施例として運動用衣類１と同様のスリーホール型の運動用衣類を着用させ、比較例として緊締部の無い通常の運動用衣類を着用させた。【００４５】
図９は、クラブをテイクバックする際のモニターの姿勢を示した図である。図９に示すように、実施例に係る運動用衣類を着用した場合の方が、比較例に係る運動用衣類を着用した場合の方よりも、テイクバック時に見える背中の面積が大きくなっていることが分かる。したがって、実施例に係る運動用衣類により、各モニターの肩周辺の柔軟性が高められ、より大きなテイクバックを取ることができていることが確認できる。【００４６】
また、図１０は、スイング時のヘッドスピードの測定結果を示した図である。この測定では、１０名のモニターのうち９名でヘッドスピードの向上が見られた。図１０に示すように、ヘッドスピードが向上した９名の平均では、実施例に係る運動用衣類を着用した場合の方が、比較例に係る運動用衣類を着用した場合の方に比べて、ヘッドスピードが約１．２ｍ／ｓ向上している。このことは、飛距離に換算して８ヤード強のアップを意味している。【００４７】
なお、図１１に示すように、運動用衣類の着用感に関し、モニター１０名からは、「テイクバックがやり易い」（１０名中８名）、「肩回りが動かしやすい」（１０名中７名）、「着心地が楽」（１０名中８名）という回答が得られている。【００４８】
以上の結果から、運動用衣類１，４０では、第１緊締部２１〜第４緊締部２４の作用により、左右の肩甲骨が連動して運動する際の肩周辺の柔軟性が高められ、体幹の回旋や腕の動作を伴う各種の運動における運動パフォーマンスが向上することが実証された。また、運動用衣類１，４０は、着用感にも優れ、長時間の着用に対しても違和感の無い仕様となっていることが実証された。【００４９】
本発明は、上記実施形態に限られるものではない。例えば上述した運動用衣類１，４０では、緊締部２０を本体部１０の表側に設けているが、緊締部２０を本体部１０の裏側に設けるようにしてもよい。この場合、緊締部２０が着用者の肌側に隠れるので、運動用衣類１，４０の見た目をすっきりさせることができる。また、上述した実施形態では、半袖の運動用衣類を例示したが、肩部分を有するものであればよく、例えば長袖やノースリーブであってもよい。
【図１】
2008078392.tif 000003
【図２】
2008078392.tif 000004
【図３】
2008078392.tif 000005
【図４】
2008078392.tif 000006
【図５】
2008078392.tif 000007
【図６】
2008078392.tif 000008
【図７】
2008078392.tif 000009
【図８】
2008078392.tif 000010
【図９】
2008078392.tif 000011
【図１０】
2008078392.tif 000012
【図１１】
2008078392.tif 000013